(57)【要約】【課題】  リールの釣り糸の全長に亘り付着している塩分や汚れを充分に除去できない点や、リールの釣り糸を伸ばして水洗する際に釣り糸が絡み、その後の釣り糸の巻き戻し作業が煩わしいという点にある。【解決手段】  有底で液体を収容する空室５を形成した容器状の容器本体１と、容器本体１の一方側に設けられて釣り糸２１を巻いたリール２０を載置する載置板１０と、容器本体１の他方側に設けられ、少なくとも下部を容器本体１内の収容液ｗに浸漬させるとともに、リール２０の釣り糸２１を巻き取るための巻取りローラー３０とを備え、リール２０の釣り糸洗浄時には、載置板１０に載置したリール２０の釣り糸２１の一端を巻取りローラー３０に取り付けて巻取りローラー３０を回転させることにより、釣り糸２１が容器本体１内の収容液ｗで洗浄されるように構成してある。【選択図】        図1
2005224130.tif 000002
【特許請求の範囲】
【請求項１】
有底で液体を収容する空室を形成した容器状の容器本体と、容器本体の一方側に設けられて釣り糸を巻いたリールを載置する載置板と、容器本体の他方側に設けられ、少なくとも下部を容器本体内の収容液に浸漬させるとともに、前記リールの釣り糸を巻き取るための巻取りローラーとを備え、前記リールの釣り糸洗浄時には、載置板に載置したリールの釣り糸の一端を巻取りローラーに取り付けて該巻取りローラーを回転させることにより、釣り糸が容器本体内の収容液で洗浄されるように構成してあることを特徴とする釣り糸の洗浄容器。
【請求項２】
巻取りローラは、中心に回転軸を貫設し離して連結した一対の円板と、両円板の外周近くで円周方向に離間して張架した複数の格子と、前記回転軸の一端に取り付けたハンドルとを有する請求項１に記載の釣り糸の洗浄容器。
【請求項３】
巻取りローラは容器本体から取り外し自在に設けてある請求項１または２に記載の釣り糸の洗浄容器。
【請求項４】
容器本体の空室の内壁には、巻取りローラーに巻取られた釣り糸に接触するようにブラシが設けてある請求項１〜３のいずれかに記載の釣り糸の洗浄容器。
【請求項５】
載置板は容器本体から取り外し自在に設けてある請求項１〜４のいずれかに記載の釣り糸の洗浄容器。
【請求項６】
リールの釣り糸を巻取りローラーに巻取り終了後において、該リール及び載置板は容器本体から取り外して、前記巻取りローラーは容器本体内に収容させた後に容器本体に取り付ける一方、載置板にはタオルを巻き付け、このタオルに前記巻取りローラに巻取られた釣り糸の一端側を１ないし複数回巻き付けるとともに、該釣り糸の先端をリールに結びつけ、前記巻取りローラに巻取られた釣り糸を前記リールに巻戻すようにしてある請求項５に記載の釣り糸の洗浄容器。
【発明の詳細な説明】
【技術分野】
【０００１】
本発明は、海や川などの釣り場で使用した釣具用のリールに巻いた釣り糸を洗浄する容器に関する。
【背景技術】
【０００２】
従来、海や川などの釣り場で使用した釣具用のリールは、釣り終了現場で、該リールに釣り糸を巻き取ってから釣竿から取り外す。その後、帰宅後などにおいて、リールの釣り糸に付着した塩分や汚れ等を除去するために、（イ）リールの釣り糸を伸ばして水を掛けて洗浄するとか、（ロ）  水を入れたバケツなどの容器にリールごと、又は釣り糸を伸ばして入れ、洗浄するとかしていた。
【０００３】
しかし、上記（イ），（ロ）のいずれの場合でも、釣り糸の全長に亘って付着している塩分や汚れを完全に除去することができないため、その塩分や汚れに起因して釣り糸が変色し易くなるとともに、寿命が短くなる欠点があった。
【０００４】
また、上記（イ），（ロ）のいずれも、リールから釣り糸を伸ばして水洗する際、釣り糸の全長は５０ｍ〜２００ｍ程もあるので、水洗時に釣り糸が絡み、洗浄後に該釣り糸をリールに巻戻す場合に煩わしい作業を要するという欠点があった。
【発明の開示】
【発明が解決しようとする課題】
【０００５】
本発明が解決しようとする問題点は、リールの釣り糸の全長に亘り付着している塩分や汚れを充分に除去できない点や、リールの釣り糸を伸ばして水洗する際に釣り糸が絡み、その後の釣り糸の巻き戻し作業が煩わしいという点にある。
【課題を解決するための手段】
【０００６】
本発明の釣り糸の洗浄容器は、有底で液体を収容する空室を形成した容器状の容器本体と、容器本体の一方側に設けられて釣り糸を巻いたリールを載置する載置板と、容器本体の他方側に設けられ、少なくとも下部を容器本体内の収容液に浸漬させるとともに、前記リールの釣り糸を巻き取るための巻取りローラーとを備え、前記リールの釣り糸洗浄時には、載置板に載置したリールの釣り糸の一端を巻取りローラーに取り付けて該巻取りローラーを回転させることにより、釣り糸が容器本体内の収容液で洗浄されるように構成してあることを特徴とする（請求項１参照）。
【０００７】
ここで、「巻き取りローラー」は、その形状を特に限定しないのであるが、例えば図２に示すように、中心に回転軸を貫設し離して連結した一対の円板と、両円板の外周近くで円周方向に離間して張架した複数の格子と、前記回転軸の一端に取り付けたハンドルとを有するものでもよい（請求項２参照）。
かかる構成により、ハンドルを手で把持して巻取りローラを所望の速さで回転することによって、リールの釣り糸を収容液で隈なく洗浄しながら、巻取りローラーに巻取ることができる。
【０００８】
また、巻取りローラーは、容器本体に取り外し不可の固定式でもよいが、容器本体から取り外し自在に設けることもできる（請求項３参照）。
後者の如く、取り外し式にすることによって、リールの釣り糸を巻取りローラーに巻取り終了後に、巻取りローラー自体を容器本体内に投入して収容液で静置洗いすることができる。しかも、前記ハンドルを巻取りローラーから着脱自在に構成するとともに、今一つの予備の巻取りローラーの回転軸の一端に上記ハンドルを取り付けることによって、前記静置洗い時において、予備の巻取りローラーで別個のリールの釣り糸を並行して洗浄することができる。
【０００９】
さらに、容器本体の空室の内壁には、巻取りローラーに巻き取られた釣り糸に接触するようにブラシが設けてある（請求項４参照）方が好ましい。
かかる構成により、巻取りローラーに巻取られる釣り糸は収容液で洗浄されながら同時にブラシでも洗浄するので、釣り糸の洗浄効果が格段に向上される。
【００１０】
加えて、本発明では、載置板は容器本体から取り外し自在に設ける（請求項５参照）方
が好ましい。  
【００１１】
さらに、リールの釣り糸を巻取りローラーに巻取り終了後において、該リール及び載置板は容器本体から取り外して、前記巻取りローラーは容器本体内に収容させた後に容器本体に取り付ける一方、載置板にはタオルを巻き付け、このタオルに前記巻取りローラに巻取られた釣り糸の一端側を１ないし複数回巻き付けるとともに、該釣り糸の先端をリールに結びつけ、前記巻取りローラに巻取られた釣り糸を前記リールに巻戻すようにしてある
（請求項６参照）方が好ましい。
【発明の効果】
【００１２】
本発明の請求項１に記載の釣り糸の洗浄容器によれば、液体を収容する容器本体と、リールの載置板と、リールの釣り糸を巻取るための巻取りローラとを備え、前記リールの釣り糸洗浄時には、載置板に載置したリールの釣り糸を巻取りローラーに取り付けて該巻取りローラーを回転させることにより、釣り糸が容器本体内の収容液で洗浄されるように構成してあるから、釣り糸の全長に亘って付着している塩分や汚れを除去することができ、その塩分や汚れに起因する釣り糸の変色を防止することができるとともに、釣り糸の寿命が長くなる。
【００１３】
請求項２に記載の釣り糸の洗浄容器によれば、巻取りローラは一対の円板と複数の格子とハンドルとを有するから、上記請求項１の効果に加え、ハンドルを手で把持して巻取りローラを所望の速さで回転することによって、リールの釣り糸を収容液で隈なく洗浄しながら、巻取りローラーに巻取ることができる。
【００１４】
請求項３に載の釣り糸の洗浄容器によれば、巻取りローラは容器本体から取り外し自在に設けてあるから、請求項１の効果に加え、リールの釣り糸を巻取りローラーに巻き取り終了後に、巻取りローラー自体を容器本体内に投入して収容液で静置洗いすることができる。しかも、前記ハンドルを巻取りローラーから着脱自在に構成するとともに、今一つの予備の巻取りローラーの回転軸の一端に上記ハンドルを取り付けることによって、前記静置洗い時において、予備の巻取りローラーで別個のリールの釣り糸を並行して洗浄することができる。
【００１５】
請求項４に記載の釣り糸の洗浄容器によれば、請求項１の効果に加え、巻取りローラーに巻取られる釣り糸は収容液で洗浄されながら同時にブラシでも洗浄するので、釣り糸の洗浄効果が格段に向上される。
【００１６】
請求項５に記載の釣り糸の洗浄容器によれば、請求項１の効果に加え、載置板は容器本体から取り外し自在に設けてあるから、載置板の損傷等により新しい載置板と取り替えできるとともに、容器本体内に巻取りローラを投入し易いなどの利点がある。
【００１７】
請求項６に記載の釣り糸の洗浄容器によれば、請求項１の効果に加え、巻取りローラに巻取られた釣り糸を前記リールに巻戻す際に、前記タオルが釣り糸に付着している水分（場合によっては残存している汚れ）を除去することができる。
【発明を実施するための最良の形態】
【００１８】
本発明は、要約すれば、釣り糸に付着している塩分や汚れ等を除去する液体を収容する容器本体と、この容器本体の一方に設けたリール載置用の載置板と、容器本体の他方に設けたリールの釣り糸巻取り用の巻取りローラとを備え、前記巻取りローラは、１対の離間した円板間に張架した複数の格子を有するとともに、前記１対の円板間の中心に連結した回転軸にハンドルを設けることにより、従来の問題点を解消した。
【実施例】
【００１９】
本発明の第１実施例を図１〜図５に基づいて以下に説明する。
図１〜図４において、１は有底で上部を開口して液体を収容する空室５を形成した容器本体である。すなわち、この容器本体１は、上部を開口２するとともに、下部に底板３を側部に側板４を有する直方形容器状のもので、底板３と側板４とで空室５を形成し、この空室５内に水道水などの洗浄水となる液体（収容液）Ｗを収容する。
【００２０】
容器本体１の方形状の開口２上端縁部のうち長辺部には、一方側に後述する載置板１０を着脱自在に設けると共に、他方側に後述するリールの釣り糸を巻取るための巻取りローラ３０を着脱自在に設けてある。
前記載置板１０と巻取りローラ３０間とを容器本体１の開口２上端縁部の一対の長辺部間に設けるため、前記各長辺部の開口２上端縁部の一方側（（図２で右側）には切欠き１ａ、１ｂを離間して形成してあるとともに、前記開口２上端縁部の他方側（（図２で左側）には切欠き１ｃが形成してある。
【００２１】
一方、載置板１０は、図５(Ａ）に示すように、長方形の平板の前後に切欠き１１、１１を形成し、各切欠き１１の左右両端側に鍔部１２，１２を形成している。従って、載置板１０を容器本体１に取り付ける場合には、図５の（Ｂ）に示すように、載置板１０を少し左側へ傾斜して載置板１０の片側の鍔部（図５（Ｂ）では左側の鍔部）１２、１２を容器本体１の切欠き１ａ、１ａに嵌合するとともに、他方の鍔部１２、１２を切欠き１ｂ、１ｂに嵌合する。そして両方の鍔部１２、１２、１２，１２が切欠き１ａ、１ａ、１ｂ、１ｂに嵌合された状態で、両方の鍔部１２、１２、１２，１２を図５（Ｂ）に２点鎖線で示すように右側へ移動する。一方、前記切欠き１ａ、１ａ、１ｂ、１ｂにはフランジ１ｄ、１ｅ、１ｆが形成してあるので、載置板１０が揺動しても、各鍔部１２がフランジ１ｄ、１ｅ、１ｆに係合される結果、載置板１０が切欠き１ａ、１ａ、１ｂ、１ｂから浮き上がって外れるようなことがない。
【００２２】
この載置板１０は、釣り糸の洗浄時において、図１に示すように、容器本体１に取り付けて、該載置板１０上に釣り糸２１を巻いたリール２０を載置する場合に使用するが、後述するように巻取りローラー３０に巻取られ洗浄済みの釣り糸２１をリール２０に巻戻す場合にも（図４参照）使用することができる。
【００２３】
巻取りローラ３０は、中心に回転軸３２を貫設するとともに離して連結した一対の円板３１，３１と、両円板３１，３１の外周近くで円周方向に離間して張架した複数の格子３３…３３と、前記回転軸３２の一端に取り付けたハンドル３４とを有している。
【００２４】
円板３１の外周縁の一部には、リール２０に巻かれている釣り糸２１の先端を係止又は結着などして巻取りローラ３０に結合するため、切欠き状の糸挟み部３５が形成されている。この糸挟み部３５は、実施例のものに限定されず、例えば公知の挟み部材とか、図示していないがリングなどに結び付ける構成などでもよい。
【００２５】
上記巻取りローラ３０の回転軸３２の両端を、容器本体１の他方側に形成した切欠き１ｃ、１ｃに嵌合することにより、巻取りローラ３０が容器本体１にセットされる（（図１参照）。このとき、巻取りローラ３０は少なくとも下部が容器本体１内の収容液ｗに浸漬されるようになっている。この浸漬状態において、図１に示す如く、載置板１０に載置したリール２０の釣り糸２１の先端を巻取りローラー３０の糸挟み部３５に取り付け、該巻取りローラー３０のハンドル３４を把持して巻取りローラ３０を回転させることにより、前記釣り糸２１が容器本体１内の収容液ｗで隈なく均一に洗浄される。
【００２６】
このとき、前記格子３３…３３は、図１及び図２に示されているように、両円板３１、３１間において等間隔で横方向に配設されているので、この格子３３…３３にリール２０の釣り糸２１を巻いた場合に、図１に示す如く、回転変位することにより、該釣り糸２１は外周面だけでなく内周面を含む全周面が、容器本体１の空室５の収容液ｗで隈なく均一に洗浄される。
しかも、巻取りローラ３０の格子３３…３３に対向して、容器本体１の内周壁にはブラシ５０が設けられているので、釣り糸の洗浄効果が一層優れている。
【００２７】
また、巻取りローラ３０は、容器本体１から取り外し自在に設けてあるだけでなく、ハンドル３４も回転軸３２から取り外せる構成を採用しているので、リール２０の釣り糸２１を巻取りローラー３０に巻取り終了後において、該リール２０及び載置板１０は容器本体１から取り外す一方、前記巻取りローラー３０は容器本体１から取り外す。そして、前記巻取りローラ３０はハンドル３４を取り外して該巻取りローラー３０本体のみを容器本体１内に投入して収容液ｗで静置洗いできる（図３参照）。それとともに、取り外した前記ハンドル３４は、別に用意した予備の巻取りローラーの回転軸（図示せず）の一端に取り付けることによって、前記静置洗い時において、予備の巻取りローラーで別個のリールの釣り糸を並行して洗浄することができる。
【００２８】
前述の如き静置洗いが終了した巻取りローラ３０は、図３の状態から容器本体１外へ取り出して容器本体１に再度セットして後工程を経る。このように図３の如く静置洗いした巻取りローラ３０、又は静置洗いしなかった巻取りローラ３０のいずれにも、リール２０の釣り糸２１が該巻取りローラ３０の全幅に亘って均一に巻取られている（図４参照）。
【００２９】
以上のように洗浄を終了して巻取りローラ３０に巻取られた釣り糸２１は、所定のリール２０に巻戻すことにより保管される。
この巻取りローラ３０に巻取られた釣り糸２１をリール２０に巻戻す際に、本発明では、その釣り糸２１に残存している水分や汚れ等を除去すべく工夫がなされている。これについて以下に説明する。
【００３０】
先ず、前記巻取りローラ３０を図４の如く容器本体１にセットする。一方、載置板１０にはタオル４０を巻き付け、このタオル４０に前記巻取りローラ３０に巻取られた釣り糸２１の一端側を１ないし複数回巻き付けるとともに、該釣り糸２１の先端をリール２０に結びつける。そして、前記載置板１０を容器本体１にセットする（図４参照）。図４に示す如く、容器本体１の系外にあるリール２０に釣り糸２１を巻取って行くと、釣り糸２１の全部がリール２０に巻取られる。このとき、釣り糸２１はタオル４０により水分や汚れ等が更に除去される。
【００３１】
次に、本実施例の釣り糸の洗浄容器の使用方法の一例について以下に説明する。
(1)  釣り糸を洗浄するための水道水などの収容液ｗを、容器本体１内に所定高さ以上まで入れる。
(2)  容器本体１の切欠き１ｃ、１ｃに巻取りローラ３０の回転軸３２の両端部を嵌合して、容器本体１に巻取りローラ３０をセットする。このとき、巻取りローラ３０の少なくとも下部は容器本体１の収容液ｗに浸漬される。また、容器本体１の切欠き１ａ、１ａ、１ｂ、１ｂに載置板１０の鍔部１２、１２、１２、１２を嵌合して、容器本体１に載置板１０をセットする。
(3)  載置板１０に、海等で使用した洗浄すべきリール２０（釣り糸２１が巻取られている）を載置する。なお、投げ釣り用のスピニングリールの場合には、載置板１０の一方側に形成した切欠き１３にスピニングリールのハンドル部を係合して、脱落しないようにするとよい。
【００３２】
(4)  リール２０の釣り糸２１の先端を巻取りローラ３０の糸挟み部３５に結合する。そして、巻取りローラ３０のハンドル３４を把持して巻取りローラ３０を回転させることにより、前記釣り糸２１は容器本体１内の収容液ｗで隈なく均一に洗浄され、釣り糸２１に付着していた塩分や汚れが除去される。このようにして、リール２０の釣り糸２１の全部が、巻取りローラ３０に巻取られることで洗浄作業が終了する。
【００３３】
（５）  リール２０を載置板１０から降ろして、載置板１０を容器本体１から取り外す。また、巻取りローラ３０を容器本体１から取り外す。
【００３４】
（６)  容器本体１から取り外した巻取りローラ３０は、ハンドル３４を取り外して巻取りローラ３０本体のみを容器本体１内に投入して収容液ｗで静置洗いする。一方、取り外した前記ハンドル３４は、予備の巻取りローラーの回転軸の一端に取り付けて、別個のリールの釣り糸を並行して洗浄することができる。この別個の洗浄工程は、上記(2)〜（５）を繰り返して処理する。
【００３５】
（７）  前述の如き静置洗いした巻取りローラ３０は、容器本体１外へ取り出してから水分を除去して、容器本体１に再度セットする。一方、載置板１０にはタオル４０を巻き付けるとともに、このタオル４０に前記巻取りローラ３０に巻取られている釣り糸２１の一端側を１ないし複数回巻き付け、該釣り糸２１の先端を容器本体１外にあるリール２０に結び付け、載置板１０を容器本体１にセットする。図４に示す状態で、リール２０に巻取りローラ３０の釣り糸２１が巻取られ、最後まで巻取ることにより、水分や汚れや塩分等が除去された釣り糸がリール２０に巻取られる。
【００３６】
図６は第２実施例を示す。このものは、巻取りローラ３０の全体が容器本体１の収容液ｗで浸漬されるように、巻取りローラ３０を容器本体１の内部に配設するとともに、載置板１０も容器本体１の内壁の高所に設けた支持部材（図示せず）で支持したものであり、巻取りローラ３０と載置板１０とが容器本体１内に内蔵された点に特徴を有するものである。その他の構成は第１実施例のものと同様にしてある。
【００３７】
このような内蔵型のものによれば、容器本体１の開口２を蓋体（図示せず）で被蓋しておけるので、見苦しくなく持ち運ぶのに便利である。
【００３８】
各実施例の容器本体１には提げ手を取り付けて持ち運びできるようにするとよい。
また、容器本体１や巻取りローラ３０や載置板１０の形状や具体的構成は適宜設計変更できる。
【産業上の利用可能性】
【００３９】
本発明の釣り糸の洗浄容器は、本来のリールの釣り糸の洗浄だけでなく、リールの収納容器としても利用することができる。
【図面の簡単な説明】
【００４０】
【図１】本発明の第１実施例の使用状態を示す斜視図である。（実施例１）
【図２】第１実施例の分解斜視図である。（実施例１）
【図３】巻取りローラを容器本体内に収容して静置洗いする状態を示す斜視図である。（実施例１）
【図４】巻取りローラに巻取られた釣り糸をタオルで拭きながらリールに巻取る状態を示す斜視図である。（実施例１）
【図５】(Ａ）は載置板の斜視図である。（Ｂ）は載置板を容器本体に組み付ける状態を示す説明図である。（実施例１）
【図６】本発明の第２実施例の使用状態を示す斜視図である。（実施例２）
【符号の説明】
【００４１】
１        容器本体
２        開口
３        底板
５        空室
１０      載置板
１２      鍔部
２０      リール
２１      釣り糸
３０      巻取りローラ  
３１      円板
３２      回転軸
３３      格子
３４      ハンドル
３５      糸挟み部
４０      タオル
５０      ブラシ
ｗ       収容液（液体）
【図１】
2005224130.tif 000003
【図２】
2005224130.tif 000004
【図３】
2005224130.tif 000005
【図４】
2005224130.tif 000006
【図５】
2005224130.tif 000007
【図６】
2005224130.tif 000008